(57)【要約】  ブラケット３とこれに対応するパネル４との組み合わせの数に応じた位置および数で、シャーシ２に設けられた貫通孔部２１と、一対のブラケット３とこれに対応するパネル４との組み合わせに対して一意に規定した位置および数で、当該ブラケット３および当該パネル４に設けられ、ブラケット３とパネル４とが対応する組み合わせである場合にのみシャーシ２の貫通孔部２１を介して相互に係合する係合部３６，４１とを備え、係合部３６，４１が相互に係合したブラケット３およびパネル４を取り付ける。
2012157028.tif 000002
【特許請求の範囲】
【請求項１】
筐体にブラケットを取り付け、前記筐体に設けたシャーシにパネルを取り付けるブラケットおよびパネルの取り付け構造において、
前記ブラケットとこれに対応するパネルとの組み合わせの数に応じた位置および数で、前記シャーシに設けられた貫通孔部と、
一対の前記ブラケットとこれに対応するパネルとの組み合わせに対して一意に規定した位置および数で、当該ブラケットおよび当該パネルに設けられ、前記ブラケットと前記パネルとが対応する組み合わせである場合にのみ前記シャーシの貫通孔部を介して相互に係合する係合部とを備え、
前記係合部が相互に係合した前記ブラケットおよび前記パネルを取り付ける
ことを特徴とするブラケットおよびパネルの取り付け構造。
【発明の詳細な説明】
【技術分野】
【０００１】
この発明は、筐体にブラケットを取り付け、筐体に設けたシャーシにパネルを取り付けるブラケットおよびパネルの取り付け構造に関するものである。
【背景技術】
【０００２】
従来から、ナビやオーディオ等の電子機器（筐体）は共通であるが、筐体を車両に取り付けるためのブラケットや、筐体前面に取り付けられるフロントパネル（以下、パネルと称す）が機種（車種）ごとに異なる場合がある。この場合、ブラケットとこれに対応するパネルとの組み合わせを正しく識別する必要がある。なお以下では、ブラケットとこれに対応するパネルとの組み合わせが一対一の関係である場合を前提に説明を行う。【０００３】
一方、ブラケットを筐体に取り付ける際には、筐体に設けられた位置決め部によってブラケットの位置決めを行っており、ブラケットとパネルとの間では位置決めを行っていない。そのため、ブラケットの取り付け工程では、パネルとの組み合わせが正しいかを判断することができず、ブラケットが所望の機種に対応したものであるかを判断することができない。そこで、機種ごとのブラケット形状（例えば、車両取り付け部等の形状・位置）に合わせて製作した取り付け用治具を用いて、機種の識別を行っている。すなわち、筐体に取り付けられたブラケットに機種ごとに形状が異なる取り付け用治具を当てはめていき、一致する取り付け用治具から機種の識別を行っている。これにより、ブラケットが所望の機種に対応したものであるかを判断することができ、ブラケットとパネルとの組み合わせを間違うことなく取り付けを行うことができる。
【先行技術文献】
【特許文献】
【０００４】
【特許文献１】特開２００２−２９８５６３号公報
【発明の概要】
【発明が解決しようとする課題】
【０００５】
上記のように従来では、機種ごとに製作した取り付け用治具を用いて、筐体に取り付けたブラケットの機種を識別している。そのため、取り付け用治具の製作費用がかかるという課題があった。
なお、特許文献１では、複数の音響機器を機種に応じた配置とするため、シャーシに音響機器の配置を変更可能とする長孔を設けている。しかしながら、この構成では、筐体に取り付けられたブラケットの機種を識別することはできず、上記課題を解決することはできない。【０００６】
この発明は、上記のような課題を解決するためになされたもので、筐体にブラケットを取り付け、筐体に設けたシャーシにパネルを取り付けるブラケットおよびパネルの取り付け構造において、機種ごとに製作した取り付け用治具を用いることなく、ブラケットとパネルとの組み合わせを間違えることなく取り付けることができるブラケットおよびパネルの取り付け構造を提供することを目的としている。
【課題を解決するための手段】
【０００７】
この発明に係るブラケットおよびパネルの取り付け構造は、ブラケットとこれに対応するパネルとの組み合わせの数に応じた位置および数で、シャーシに設けられた貫通孔部と、一対のブラケットとこれに対応するパネルとの組み合わせに対して一意に規定した位置および数で、当該ブラケットおよび当該パネルに設けられ、ブラケットとパネルとが対応する組み合わせである場合にのみシャーシの貫通孔部を介して相互に係合する係合部とを備え、係合部が相互に係合したブラケットおよびパネルを取り付けるものである。
【発明の効果】
【０００８】
この発明によれば、上記のように構成したので、機種ごとに製作した取り付け用治具を用いることなく、ブラケットとパネルとの組み合わせを間違えることなく取り付けることができる。
【図面の簡単な説明】
【０００９】
【図１】この発明の実施の形態１に係るブラケットおよびパネルの取り付け構造の構成を示す分解斜視図である。
【図２】この発明の実施の形態１に係るブラケットおよびパネルの取り付け構造の構成を示す斜視図である。
【図３】図１に示すブラケットとは異なる機種に対応したブラケットを用いたブラケットおよびパネルの取り付け構造の構成を示す分解斜視図である。
【図４】この発明の実施の形態１におけるブラケットおよびパネルの別の構成を示す分解斜視図である。
【発明を実施するための形態】
【００１０】
以下、この発明の実施の形態について図面を参照しながら詳細に説明する。
実施の形態１．
ブラケットおよびパネルの取り付け構造は、図１，２に示すように、車載用の電子機器等の筐体１と、筐体１の前面に配置され、筐体１と一体に設けられたフロントシャーシ２（以下、シャーシ２と称す）と、シャーシ２により位置決めされて、筐体１の両側面にそれぞれ取り付けられる略Ｌ字に折り曲げられた２枚のブラケット３と、シャーシ２に前面から覆い被さるように配置され、シャーシ２を介してブラケット３に取り付けられるフロントパネル４（以下、パネル４と称す）とから構成されている。
ここで、シャーシ２を有する筐体１は、機種（車種）に関わらず共通で用いられるものである。一方、筐体１を車両に取り付けるためのブラケット３および意匠面となるパネル４は、機種ごとに異なる形状に構成されている（図１，３参照）。なお、ブラケット３とこれに対応するパネル４との組み合わせは一対一の関係であるとする。
【００１１】
次に、各部の構成について説明する。
筐体１の両側面には、ブラケット３を位置決めするための位置決め孔部１１が複数形成されている。
一方、ブラケット３の筐体１と対向する第１側面３１には、筐体１の位置決め孔部１１と対向する位置に位置決め孔部３２が形成されている。なお、この位置決め孔部３２は、機種に関わらず同一位置に形成されている。また、第１側面３１には、機種ごとに異なる形状であり、筐体１を車両に取り付けるための取り付け孔部３３を有する車両取り付け部３４が形成されている。また、ブラケット３のシャーシ２と対向する第２側面３５には、このブラケット３とこれに対応するパネル４との組み合わせに対して一意に規定された位置および数（少なくとも２箇所以上）で、位置決め孔部（係合部）３６が形成されている。
【００１２】
また、シャーシ２には、各機種に対応するブラケット３の位置決め孔部３６およびパネル４の位置決め突起部４１と対向する全ての位置に、位置決め突起部４１が挿通される貫通孔部２１が形成されている。なお、この貫通孔部２１は、少なくとも３箇所以上設けられ、数が多いほど多機種に対応可能となる。
また、パネル４の裏面（シャーシ２に対向する面）には、シャーシ２の貫通孔部２１を介して、同一機種に対応するブラケット３の位置決め孔部３６と係合する位置決め突起部（係合部）４１がシャーシ２側に突出して形成されている。なお、位置決め突起部４１は、シャーシ２の貫通孔部２１を介してブラケット３の位置決め孔部３６と係合可能な長さに構成されている。
【００１３】
ここで、機種ごとのブラケット３およびパネル４の形状の違いを示す例として、図１では、ブラケット３の車両取り付け部３４が第１側面３１の下端に設けられ、パネル４は略矩形状に構成されている。そして、ブラケット３の位置決め孔部３６は斜めに２箇所設けられ、パネル４の位置決め突起部４１も同様に、各ブラケット３の位置決め孔部３６に対向する位置（斜めに２箇所）にそれぞれ設けられている。
一方、図３では、ブラケット３の車両取り付け部３４が第１側面３１の上端に設けられ、パネル４はやや丸みを帯びた形状に構成されている。そして、ブラケット３の位置決め孔部３６は上下に２箇所設けられ、パネル４の位置決め突起部４１も同様に、各ブラケット３の位置決め孔部３６に対向する位置（上下に２箇所）にそれぞれ設けられている。
また、図１，３に示すように、シャーシ２の貫通孔部２１は、図１の位置決め突起部４１および図３の位置決め突起部４１の両方とも挿通可能な位置・形状に設けられている。
【００１４】
次に、上記のように構成されたブラケットおよびパネルの取り付け構造におけるブラケット３およびパネル４のシャーシ２を有する筐体１への取り付けについて説明する。
機種に関わらず共通で用いられる筐体１に、機種ごとに組み合わせが異なるブラケット３およびパネル４を取り付ける際には、まず、ブラケット３の位置決め孔部３２を筐体１の一方の側面の位置決め孔部１１に合わせ、また、ブラケット３の位置決め孔部３６をシャーシ２の対応する貫通孔部２１に合わせて、ネジ等の締結部材５を用いてブラケット３を筐体１に取り付ける。
【００１５】
ここで、シャーシ２には、予め、各機種に対応するブラケット３に設けられた位置決め孔部３６と対向する全ての位置に貫通孔部２１が設けられているため、ブラケット３の位置決め孔部３６にいずれかの貫通孔部２１が合わせられることになる。また、ブラケット３の位置決め孔部３６と対向しない貫通孔部２１は第２側面３５によって塞がれた状態となる。例えば図１において、右側のブラケット３が筐体１に取り付けられた場合には、シャーシ２の右側部分では、左上および右下の貫通孔部２１には位置決め孔部３６が合わさり開口した状態となるが、右上および左下の貫通孔部２１は第２側面３５によって塞がれた状態となる。
次いで、筐体１のもう一方の側面に対しても同様にブラケット３を取り付ける。
【００１６】
次いで、パネル４の位置決め突起部４１を、シャーシ２の貫通孔部２１を介してブラケット３の位置決め孔部３６に係合させて取り付ける。ここで、正しい組み合わせ（同一の機種）のパネル４を取り付けようとした場合には、このパネル４の位置決め突起部４１に対向するシャーシ２の貫通孔部２１には、ブラケット３の位置決め孔部３６が合わせられているため、位置決め突起部４１を貫通孔部２１を介して位置決め孔部３６に挿入することができる。一方、誤った組み合わせ（異なる機種）のパネル４を取り付けようとした場合には、このパネル４の位置決め突起部４１に対向するシャーシ２の貫通孔部２１のうち、少なくとも１つ以上が第２側面３５によって塞がれているため、位置決め突起部４１を貫通孔部２１を介して位置決め孔部３６に挿入することができない。
【００１７】
例えば、図１に示すブラケット３が筐体１に取り付けられた場合において、図１に示す同一の機種に対応するパネル４を取り付けようとした場合、このパネル４の右側部分の位置決め突起部４１は左上および右下に形成され、シャーシ２の右側部分の貫通孔部２１のうち、左上および右下の貫通孔部２１は位置決め孔部３６が合わさって開口した状態である。また、パネル４の左側部分の位置決め突起部４１に対向する貫通孔部２１も同様に開口した状態である。そのため、位置決め突起部４１を貫通孔部２１を介して位置決め孔部３６に挿入することができ、ブラケット３とパネル４を取り付けることができる。
一方、図１に示すブラケット３が筐体１に取り付けられた場合において、図３に示す異なる機種に対応したパネル４を取り付けようとした場合、このパネル４の右側部分の位置決め突起部４１は右上および右下に形成され、シャーシ２の右側部分の貫通孔部２１のうち、右下の貫通孔部２１は位置決め孔部３６が合わさって開口しているが、右上の貫通孔部２１は塞がれた状態である。また、パネル４の左側部分の位置決め突起部４１に対向する一部の貫通孔部２１も同様に塞がれた状態である。そのため、位置決め突起部４１を貫通孔部２１を介して位置決め孔部３６に挿入することはできず、誤った組み合わせのパネル４が取り付けられることを防止することができる。
【００１８】
以上のように、この実施の形態１によれば、シャーシ２に、ブラケット３とパネル４との組み合わせの数に応じた位置および数の貫通孔部２１を設け、ブラケット３およびパネル４に、一対のブラケット３とパネル４との組み合わせに対して一意に規定した位置および数で、ブラケット３とパネル４とが対応する組み合わせである場合にのみシャーシ２の貫通孔部２１を介して相互に係合する位置決め孔部３６および位置決め突起部４１を設け、この位置決め孔部３６と位置決め突起部４１とが相互に係合したブラケット３およびパネル４を取り付けるように構成したので、機種ごとに製作した取り付け用治具を用いることなく、パネル４との組み合わせを間違えることなくブラケット３を取り付けることができる。
【００１９】
なお、実施の形態１では、図１に示すように、ブラケット３に位置決め孔部３６を設け、パネル４に位置決め孔部３６と係合する位置決め突起部４１を設けた場合について示したが、図４に示すように、パネル４に位置決め孔部４２を設け、ブラケット３に位置決め孔部４２と係合する位置決め突起部３７を設けるようにしてもよい。なお図４の例では、パネル４の裏面にシャーシ２側に向かって突出した位置決め突起部４３を設けて、この位置決め突起部４３内に位置決め孔部４２を形成し、また、位置決め突起部３７をブラケット３から切り起こして形成している。
また、本願発明はその発明の範囲内において、実施の形態の任意の構成要素の変形、もしくは実施の形態の任意の構成要素の省略が可能である。
【産業上の利用可能性】
【００２０】
この発明に係るブラケットおよびパネルの取り付け構造は、機種ごとに製作した取り付け用治具を用いることなく、ブラケットとパネルとの組み合わせを間違えることなく取り付けることができ、筐体にブラケットを取り付け、前記筐体に設けたシャーシにパネルを取り付けるブラケットおよびパネルの取り付け構造等に用いるのに適している。
【符号の説明】
【００２１】
１  筐体、２  フロントシャーシ、３  ブラケット、４  フロントパネル、５  締結部材、１１  位置決め孔部、２１  貫通孔部、３１  第１側面、３２  位置決め孔部、３３  取り付け孔部、３４  車両取り付け部、３５  第２側面、３６  位置決め孔部（係合部）、３７  位置決め突起部（係合部）、４１  位置決め突起部（係合部）、４２  位置決め孔部（係合部）、４３  位置決め突起部。
【図１】
2012157028.tif 000003
【図２】
2012157028.tif 000004
【図３】
2012157028.tif 000005
【図４】
2012157028.tif 000006
【国際調査報告】
2012157028.tif 000007
2012157028.tif 000008